(57)【要約】      （修正有）【課題】衣料用ベルトに装着して好適に使用できるプラスチック製のピンバックルを提供する。【解決手段】衣料用ベルト５に装着されるピンバックル１であって、ピンバックル１を構成する係止部材２、型枠部材４および回動軸３が繊維強化プラスチックまたは有機ガラスからなる。【選択図】図１
0003208350.tif 000002
【実用新案登録請求の範囲】
【請求項１】
衣料用ベルトに装着されるピンバックルであって、該ピンバックルを構成する係止部材、型枠部材および回動軸が繊維強化プラスチックまたは有機ガラスからなることを特徴とするピンバックル。
【請求項２】
前記係止部材、前記型枠部材、前記回動軸に加えて、ベルト連結部材が繊維強化プラスチックまたは有機ガラスからなることを特徴とする請求項１に記載のピンバックル。
【請求項３】
前記繊維強化プラスチックの繊維が、ガラス繊維、炭素繊維、アラミド繊維、ポリエチレン繊維の中から選ばれる１種であることを特徴とする請求項１または２に記載のピンバックル。
【請求項４】
前記繊維強化プラスチックのマトリックスが、熱可塑性樹脂、エポキシ樹脂、ポリアミド樹脂、フェノール樹脂の中から選ばれる１種であることを特徴とする請求項１〜３のいずれか一項に記載のピンバックル。
【請求項５】
前記有機ガラスが、ポリカーボネイトまたはアクリル樹脂であることを特徴とする請求項１または２に記載のピンバックル。
【考案の詳細な説明】
【技術分野】
【０００１】
本考案は、使用者の腰部に衣料を保持するための衣料用ベルトに穴を開けて使用するバックル（いわゆるピンバックル）に関するものであり、詳しくは、空港等のセキュリティ検査における金属探知機で検知されないピンバックルに関するものである。
【背景技術】
【０００２】
衣料（たとえばズボン等）に装着して使用者の腰部にその衣料を保持するために使用する衣料用ベルトのバックルは、
(a)衣料用ベルトに開けた穴に針状の留め金を通して使用するバックル
と、
(b)衣料用ベルトに穴を開けずに使用するバックル
に大別される。上記の(a)はピンバックルあるいは尾錠と呼ばれ、(b)は徳尾錠と呼ばれている。これらのバックルは、いずれも素材は金属（たとえば真鍮、鉄等）が使用され、良好な外観を得るためにメッキが施されている。
【０００３】
そのような金属製のバックルの使用者が空港等のセキュリティ検査を受ける際に、バックルが金属探知機に検知されて、警報が鳴動する現象が頻繁に発生する。バックルが金属探知機に検知された場合は、使用者がベルトを外して再度セキュリティ検査を受ける必要があるので、使用者に及ぼす負担が大きくなる。
【０００４】
プラスチック製のバックルを使用すれば、金属探知機がバックルを検知するのを防止できるので、セキュリティ検査を簡単に済ませることができる。
【０００５】
従来から実用化されているプラスチック製のバックル（たとえば特許文献１参照）は、互いに分離する２つの部材を嵌め合わせて使用するものであり、上記した(a)(b)の態様のバックルとは異なる構成を有するものである。具体的には、片方の部材に設けられる鈎状部と他方の部材に設けられる鈎状係止部とを係止させることによってベルトを連結する構成になっている。特許文献１に開示されたようなプラスチック製のバックルは、鞄やリュックサックを肩にかけるためのベルト（いわゆる肩ひも）等を連結するために使用されることが多く、衣料用ベルトに使用するためには未解決の問題が残されている。
【０００６】
つまり、特許文献１に開示されたようなプラスチック製のバックルを衣料用ベルトに使用すると、鈎状部と鈎状係止部とを係止させることによって衣料用ベルトを使用者の腰部に保持することになるので、使用者が姿勢を変えた時に鈎状部と鈎状係止部が離脱し易いという問題がある。
【０００７】
以上に説明した通り、衣料用ベルトに好適なプラスチック製のバックルは未だ実用化されていない。
【先行技術文献】
【特許文献】
【０００８】
【特許文献１】特開平10-337206号公報
【考案の概要】
【考案が解決しようとする課題】
【０００９】
本考案は、従来の技術の問題点を解消し、衣料用ベルトに装着して好適に使用できる繊維強化プラスチック製または有機ガラス製のバックルを提供することを目的とする。
【課題を解決するための手段】
【００１０】
本考案者は、上記したピンバックル（上記(a)参照）と徳尾錠（上記(b)参照）を種々のプラスチックで製作し、数日間にわたって試験的に装着した。その結果、
(A)バックルの素材として繊維強化プラスチックまたは有機ガラスを使用することによって、十分な強度を有するバックルが得られる、
(B)繊維強化プラスチック製または有機ガラス製のピンバックルは、腰部に装着した状態で姿勢を変えても、衣料用ベルトからの離脱や各部材の折損を生じることなく、好適に使用できる、
(C)繊維強化プラスチック製または有機ガラス製の徳尾錠は、腰部に装着した状態で姿勢を変えると、衣料用ベルトから離脱し易いので、衣料用ベルトを保持できない
という知見を得た。
【００１１】
本考案は、このような知見に基づいてなされたものである。
すなわち本考案は、衣料用ベルトに装着されるピンバックルであって、ピンバックルを構成する係止部材、型枠部材および回動軸が繊維強化プラスチックまたは有機ガラスからなるピンバックルである（図１参照）。
【００１２】
また本考案は、係止部材、型枠部材、回動軸に加えて、ベルト連結部材が繊維強化プラスチックまたは有機ガラスからなるピンバックルにも適用できる（図２参照）。
【００１３】
さらに、本考案のピンバックルにおいては、繊維強化プラスチックの繊維が、ガラス繊維、炭素繊維、アラミド繊維、ポリエチレン繊維の中から選ばれる１種であることが好ましく、繊維強化プラスチックのマトリックスが、熱可塑性樹脂、エポキシ樹脂、ポリアミド樹脂、フェノール樹脂の中から選ばれる１種であることが好ましい。また、有機ガラスが、ポリカーボネイトまたはアクリル樹脂であることが好ましい。
【考案の効果】
【００１４】
本考案によれば、衣料用ベルトに装着して使用するにあたって、十分な強度を有し、かつ衣料用ベルトを保持できる繊維強化プラスチック製または有機ガラス製のピンバックルを得ることができるので、産業上格段の効果を奏する。
【図面の簡単な説明】
【００１５】
【図１】本考案のピンバックルの例を模式的に示す斜視図である。
【図２】本考案のピンバックルの他の例を模式的に示す斜視図である。
【考案を実施するための形態】
【００１６】
図１は、本考案のピンバックルの例を模式的に示す斜視図である。衣料用ベルト５に装着されるピンバックル１は、衣料用ベルト５に設けた穴（図示せず）に挿通する係止部材２（いわゆる留め金）と、その係止部材２を密着させて使用者の腰部に保持するための型枠部材４と、その型枠部材４を衣料用ベルト５に対して自在に回動させ、かつ係止部材２を自在に回動させるための回動軸３と、を備えている。そして本考案のピンバックル１は、繊維強化プラスチックまたは有機ガラスからなる係止部材２、型枠部材４、回動軸３を使用する。
【００１７】
なお図１に示すピンバックル１を装着した衣料用ベルト５は、使用者が自分の腰回りの寸法に合わせて穴の位置を調整するので、衣料用ベルト５を生産する工程で長手方向に多数の穴を設けておく必要があるという欠点を有する。また、衣料用ベルト５が損傷して使用できなくなると、衣料用ベルト５とともにピンバックル１も廃棄される。
【００１８】
それに対して図２に示すように、衣料用ベルト５の穴を設けていない側の端部を連結するためのベルト連結部材６を有するピンバックル１を装着すれば、使用者がベルト連結部材６を操作して衣料用ベルト５を外し、さらに自分の腰回りの寸法に合わせて衣料用ベルト５の穴が好適な位置にくるように衣料用ベルト５の長さを調整して、ベルト連結部材６に再び連結することが可能である。また、衣料用ベルト５が損傷して使用できなくなった場合に、ベルト連結部材６を操作して衣料用ベルト５を外して廃棄した後、新しい衣料用ベルト５を連結することによって、ピンバックル１を繰り返し使用することが可能であるという利点を有する。
【００１９】
本考案では図２に示すようなピンバックル１においても、繊維強化プラスチックまたは有機ガラスからなる係止部材２、型枠部材４、回動軸３を使用する。さらに、ベルト連結部材６にも繊維強化プラスチックまたは有機ガラスを使用する。
【００２０】
繊維強化プラスチックの繊維は、ガラス繊維、炭素繊維、アラミド繊維、ポリエチレン繊維の中から選ばれる１種を使用することが好ましい。繊維強化プラスチックのマトリックスは、熱可塑性樹脂、エポキシ樹脂、ポリアミド樹脂、フェノール樹脂の中から選ばれる１種を使用することが好ましい。
また、有機ガラスは、ポリカーボネイトまたはアクリル樹脂を使用することが好ましい。
【００２１】
これらの繊維強化プラスチックや有機ガラスは、様々な形状の係止部材２、型枠部材４、回動軸３、ならびにベルト連結部材６を容易に製作でき、かつ多様な色調に染色することができる。その結果、衣料用ベルト５に装着するピンバックル１として外観のみならず、デザインや色彩の観点から極めて良好なピンバックル１が得られる。しかも、空港等のセキュリティ検査にて金属探知機に検知されるという問題を回避できる。
【００２２】
なお係止部材２、型枠部材４、回動軸３、ならびにベルト連結部材６は、いずれも同じ素材で製作することが好ましい。その理由は、係止部材２、型枠部材４、回動軸３、ならびにベルト連結部材６の強度を統一して、使用者の腰部に衣料を保持する際の応力集中を防止し、ひいてはピンバックル１の折損を防止するためである。
【実施例】
【００２３】
ポリカーボネイトを用いて、図１、２に示すピンバックル（色：ダークブラウン）を製作し、１週間にわたって装着した。その結果、いずれも十分な強度を有し、しかも腰部に装着した状態で姿勢を変えても、衣料用ベルからの離脱やピンバックルの折損を生じることなく、好適に使用できた。
【００２４】
さらに、ピンバックルを金属探知機の検出ヘッドに近づけたところ、いずれも金属探知機は反応しなかった。
【符号の説明】
【００２５】
１  ピンバックル
２  係止部材
３  回動軸
４  型枠部材
５  衣料用ベルト
６  ベルト連結部材
【図１】
0003208350.tif 000003
【図２】
0003208350.tif 000004